(57)【要約】【構成】鳥類の侵入を防止するようネット２を取り付けるための防鳥ネット取付け支柱１であって、径の異なる複数のポール部材３、４を内外二重以上に嵌め合わせて、嵌め合い部分の出し入れにより伸縮自在とし、且つ、前記嵌め合い部分を任意の位置で係止するワンタッチ方式の伸縮固定金具６によって任意の支柱長さに固定可能にし、最上方に位置するポール部材５の上部または最下方に位置するポール部材３の下部、あるいはその両方に伸長作用を有するスプリングを設けた防鳥ネット取付け支柱。【効果】鳥の侵入を防止するためにネットを張り付ける支柱で、簡単に設置でき、ネットに負荷が掛かっても倒れることがない低コストで、建物を傷めたり美観を損なうことなく、容易に組み立て張設することができる。また、振動、強風等の負荷はスプリングが吸収してくれるため、ゆるみを生じない。さらに脱着が簡単なため、避難路にも設置できる。【選択図】      図３
2004208587.tif 000002
【特許請求の範囲】
【請求項１】
建築物の開放された張出し部に鳥類の侵入を防止するようネットを取り付けるための防鳥ネット取付け支柱であって、径の異なる複数のポール部材を内外二重以上に嵌め合わせて、嵌め合い部分の出し入れにより伸縮自在とし、且つ、前記嵌め合い部分を任意の位置で係止するワンタッチ方式の伸縮固定金具によって任意の支柱長さに固定可能にし、最上方に位置するポール部材の上部または最下方に位置するポール部材の下部、あるいはその両方に伸長作用を有するスプリングを設けたことを特徴とする防鳥ネット取付け支柱。
【発明の詳細な説明】
【０００１】
【発明の属する技術分野】
本発明は、建築物の踊り場等、開放された張出し部への鳥類の侵入を防止するための防鳥ネット取り付け用の支柱に関し、特に集合住宅のベランダ等に適用するのに好適な防鳥ネット取付け支柱に関するものである。
【０００２】
【従来の技術】
従来、ポールの外周に巻き付けられた圧縮バネに、フックを介して紐材又は、網材を取り付けることにより、複数のポールの間にフェンス面を形成することを特徴とした鳥獣害防除用フェンス（例えば、特許文献１参照）が存在している。
また、建築物の開放された張出し部に鳥の侵入を防止するようネットを取り付けるための防鳥ネット取付け支柱であって、径の異なる複数のポール部材を内外二重に嵌め合わせて、嵌め合い部分の出し入れにより伸縮自在とし、且つ、前記嵌め合い部分を任意の位置で締結する締結手段によって任意の支柱長さに固定可能としたことを特徴とする防鳥ネット取付け支柱（例えば、特許文献２参照）が存在している。
【０００３】
【特許文献１】
特開平１１−２３９４４３号公報（特許請求の範囲、図２）
【特許文献２】
特開２００１−５７８３９（特許請求の範囲の請求項４、図１、図２）
【０００４】
【発明が解決しようとする課題】
しかしながら、前記従来の特開平１１−２３９４４３号公報の技術は、伸縮式の突っ張り型固定棒で形成されたポールの外周に巻き付けられた圧縮バネに、フックを介して紐材又は、網材を取り付けることにより、複数のポールの間にフェンス面を形成することを特徴とした鳥獣害防除用フェンスで、ポールの外周に巻き付けられた圧縮バネにフックを介して紐材、又は網材を取り付けてフェンス面を形成するものでポールの構造は、単にポール長固定リングを設けただけで、支柱には特別な工夫はなく、フェンス面を形成することに特徴のあるものである。この従来技術では係止位置にワンタッチで係止することはできない。
また、特開２００１−５７８３９の技術は、建築物の開放された張出し部に鳥の侵入を防止するようネットを取り付けるための防鳥ネット取付け支柱であって、径の異なる複数のポール部材を内外二重に嵌め合わせて、嵌め合い部分の出し入れにより伸縮自在とし、且つ、前記嵌め合い部分を任意の位置で締結する締結手段によって任意の支柱長さに固定可能としたことを特徴とする防鳥ネット取付け支柱で、締結手段としては、可動フックのネジ込みで行うものである。従って支柱を設置場所の高さに合わせて固定する場合、ワンタッチでは固定することができない。しかも、両従来技術は、どちらも締結手段がネジ込式なので単に点接触、あるいは線接触での係止になり地震による振動、強風、温度変化による材料の縮み等によってゆるみが生じたり、フェンスに負荷が掛かると、簡単にずり落ちて高さが縮小して突っ張り力が作用しない状態になり倒れてしまうという問題点があった。
【０００５】
【課題を解決するための手段】
本発明は、前記課題の解決を図ったもので、次のような技術手段を採用した。
請求項１記載の発明においては、建築物の開放された張出し部に鳥類の侵入を防止するようネットを取り付けるための防鳥ネット取付け支柱であって、径の異なる複数のポール部材を内外二重以上に嵌め合わせて、嵌め合い部分の出し入れにより伸縮自在とし、且つ、前記嵌め合い部分を任意の位置で係止するワンタッチ方式の伸縮固定金具によって任意の支柱長さに固定可能にし、最上方に位置するポール部材の上部または最下方に位置するポール部材の下部、あるいはその両方に伸長作用を有するスプリングを設けるという技術手段を採用した。
【０００６】
【発明の実施の形態】
以下、本発明の一実施例を添付図面で詳細に説明する。
図１は、本発明の防鳥ネットの完成したところを示す概略斜視図、図２は本発明の防鳥ネット取付け支柱を示す概略斜視図、図３は本発明の支柱のワンタッチ伸縮固定金具の解除状態と固定状態を示す正面図、図４は本発明の支柱の下部に圧縮スプリングを取り付け、ペダルを踏み付けることで支柱の伸縮をさせる状態を示す断面図、図５は本発明の支柱の上部に圧縮スプリングを取り付け、ハンドルの回動で伸縮させる状態を示す断面図、図６は本発明の支柱に取り付ける落下防止用ワイヤーで、留め具部分を示す正面図である。
【０００７】
図１に本発明による防鳥ネットの一例を示す。
住宅のベランダ等、建築物の開放された張出し部へ設ける鳩等の鳥が侵入するのを防止する防鳥ネットで、この例では４本の支柱１を立ててネット２を支柱１の端に設けたネット留め金具を用いて張り巡らされたものである。
【０００８】
本発明の支柱１は、図２〜図６に示すように径の異なる複数のポール部材３、４、５で摺動自在に嵌め込まれ、その内外二重の嵌め合い部分の出し入れにより支柱を伸縮自在にし、その嵌め合い部分を図３に詳細に示すような、伸縮固定金具６で固定解除するもので、その固定解除状態（ａ）と固定状態（ｂ）のようにワンタッチ方式により作動できるものである。
【０００９】
この伸縮固定金具６は、ハンドル７の先端に形成したカム形状を有するカム部材８を利用して第１のポール部材３と、第２のポール部材４の嵌め合い部分をワンタッチで固定するものである。そのポール部材は、径の大きい中空管状の第１のポール部材３の内側に径の中程度の第２のポール部材４を、そして、さらにこの第２のポール部材４の内側に径の小さい第３のポール部材５が摺動自在に嵌め込まれる。なお、伸縮固定金具６は、第１のポール部材３と、第２のポール部材４の嵌め合い部分だけでなく、そのそれぞれ内外二重の嵌め合い部分の出し入れにより伸縮可能にし、その各嵌め合い部分を図３に示すように伸縮固定金具６に設けたハンドル７を用いてワンタッチで回動することで、任意の位置で係止することによって、任意の支柱長さに固定できるように構成されている。
【００１０】
また、第１〜第３のポール部材３、４、５の材質としては、例えば強化プラスチック、アルミ合金、スチールにメッキ、塗装あるいは塩化ビニールの被覆仕上げを施したものであっても良い。
【００１１】
この支柱１は、径の大きい方の第１のポール部材３を下にし、径の中程度の第２のポール部材４、径の小さい第３のポール部材５を順に上にして立設し、その支柱１にネット２を張設するものであって、各ポール部材３、４、５にはネット２を引っ掛けて止めるための固定フック（図示せず）が設けられている。
【００１２】
次に、図４に示すように、第１のポール部材３の下部には支柱１を支持するための支持部材９を設ける。この支持部材９は第１のポール部材３の内側に入り込み、圧縮スプリング１０で縮むようになっていて、ペダル１１を踏み付けることで圧縮スプリング１０に抗して、伸長できるようにカム体１２をペダル１１にシャフト１３を介して設けられ、ペダル１１を踏み付けることで図４（ａ）から図４（ｂ）、図４（ｃ）のように順に伸長させるものである。この際、第１のポール部材３に形成した長孔１４を案内に、支持部材９に設けた突起部材１５が係合し、伸縮が規制されるように設けられている。
【００１３】
また図５に示すように、第３のポール部材５にはスプリング１６を介して上部支持部材１７が設けられ、スプリング１６の下部は、第２のポール部材４に設けられた回動可能なカム部材１８で伸縮できるように構成されている。
【００１４】
最後に、図６に基づいて落下防止用ワイヤー１９について説明すると、ワイヤー２０の一端は、例えば支柱１の下部に設けられた支持部材９の適宜部位に取り付け、ワイヤー２０の他端にはワンタッチで係止できる係止具２１を設け、この係止具２１をベランダの手摺り等適宜部位に係止して防鳥ネットのベランダから落下するのを防止するものである。
【００１５】
【発明の効果】
本発明は、以上の構成を採用した結果、次のような効果を得ることができる。
（１）集合住宅におけるベランダ等、建築物の開放された張出し部へ鳥の侵入を防止するためにネットを張り付ける支柱で、簡単に設置でき、ネットに負荷が掛かっても倒れることがない低コストで、建物を傷めたり美観を損なうことなく、容易に組み立て張設することができる。
（２）振動、強風等の負荷はスプリングが吸収してくれるため、ゆるみを生じない。
（３）脱着が簡単なため、避難路にも設置できる。
【図面の簡単な説明】
【図１】本発明の一実施例である防鳥ネットの完成した所を示す概略斜視図である。
【図２】本発明の防鳥ネット取付け支柱を示す概略斜視図である。
【図３】本発明の防鳥ネット取付け支柱の伸縮に合わせて係止させるワンタッチ伸縮固定金具の解除状態（ａ）と固定状態（ｂ）を示す正面図である。
【図４】本発明の防鳥ネット取付け支柱の下部に圧縮スプリングを取り付け、ペダルを踏み付けることで支柱の伸縮をさせる状態を示し、一番縮小した状態（ａ）、ちょっと伸びた状態（ｂ）、一番伸びた状態（ｃ）を示す断面図である。
【図５】本発明の防鳥ネット取付け支柱の上部に圧縮スプリングを取り付け、ハンドルの回動によって伸縮させる前の状態（ａ）と伸ばした状態（ｂ）を示す断面図である。
【図６】本発明の防鳥ネット取付け支柱に取り付ける落下防止用ワイヤーで留め具部分を示す正面図である。
【符号の説明】
１‥‥支柱                            ２‥‥ネット
３・・・・ポール部材                      ４・・・・ポール部材
５・・・・ポール部材                      ６・・・・伸縮固定金具
７・・・・ハンドル                        ８・・・・カム部材
９・・・・支持部材                      １０・・・・圧縮スプリング
１１・・・・ペダル                        １２・・・・カム体
１３・・・・シャフト                      １４・・・・長孔
１５・・・・突起部材                      １６・・・・スプリング
１７・・・・上部支持部材                  １８・・・・カム部材
１９・・・・落下防止用ワイヤー            ２０・・・・ワイヤー
２１・・・・係止具
【図１】
2004208587.tif 000003
【図２】
2004208587.tif 000004
【図３】
2004208587.tif 000005
【図４】
2004208587.tif 000006
【図５】
2004208587.tif 000007
【図６】
2004208587.tif 000008